(57)【要約】【課題】操作釦側本体と画像表示装置ユニットとが回転可能な接続機構を介しての回転動作によって、自己撮影、対面撮影、及び通常通話の切換えを可能とするカメラ付き携帯情報端末の提供。【解決手段】回転可能な接続機構を形成するヒンジを介して折りたたみ開閉自在なカメラ付き携帯情報端末であって、操作釦側本体１０２と画像表示装置ユニットから構成され、操作釦側本体１０２に前記カメラ部を配し、前記画像表示装置ユニットの回転位置によって、表示画面を反転できる構成とし、画像表示装置ユニットを収納位置に閉じた際に、前記操作釦側本体１０２に配したカメラ部のレンズ１０３を保護する構成とし、操作釦側本体１０２にマイク部１０４を配設し、マイク部１０４に音を伝える為の通過孔を撮影時の略被写体方向と通話時の略発声方向に向けて設けたことを特徴とする。【選択図】　　　　図１
2004040382.tif 000002
【特許請求の範囲】
【請求項１】
撮影用のカメラ部を有し、回転可能な接続機構を形成するヒンジを介して折りたたみ開閉自在なカメラ付き携帯情報端末であって、操作釦側本体と画像表示装置ユニットから構成され、前記操作釦側本体に前記カメラ部を配し、前記画像表示装置ユニットの回転位置によって前記画像表示装置ユニットの表示画面を反転できる構成としたことを特徴とするカメラ付き携帯情報端末。
【請求項２】
請求項１記載のカメラ付き携帯情報端末において、前記画像表示装置ユニットを収納位置に閉じた際に、前記操作釦側本体に配した撮影用の前記カメラ部のレンズを保護する構成としたことを特徴とするカメラ付き携帯情報端末。
【請求項３】
請求項１記載のカメラ付き携帯情報端末において、前記操作釦側本体に集音手段としてのマイク部を配設したことを特徴とするカメラ付き携帯情報端末。
【請求項４】
請求項３記載のカメラ付き携帯情報端末において、前記マイク部に音声を伝える為の通過孔を撮影時の略被写体方向と通話時の略発声方向に向けて設けたことを特徴とするカメラ付き携帯情報端末。
【請求項５】
音声を取り込む複数の集音手段としてのマイク部、被写体を撮影するための撮像手段としてのカメラ部、外部と通信可能とするための通信手段、画像やその他の情報を表示するための表示手段を備えたカメラ付き携帯情報端末であって、前記カメラ部の撮影向きの状態により、適合するマイク部への切換え操作を行うことを特徴とするカメラ付き携帯情報端末。
【請求項６】
請求項５記載のカメラ付き携帯情報端末において、前記複数のマイク部のうち、一方のマイク部と他方のマイク部は、集音方向が互いに異なるように配設して成ることを特徴とするカメラ付き携帯情報端末。
【請求項７】
請求項５または６記載のカメラ付き携帯情報端末において、前記カメラ部の撮影向きの状態は、カメラ部またはカメラ部が設けられた筐体の回転を検出することで決定することを特徴とするカメラ付き携帯情報端末。
【請求項８】
請求項５乃至７の何れかに記載のカメラ付き携帯情報端末において、撮影時、前記カメラ部は自分撮りの状態と相手撮りの状態を含む少なくとも２つの状態を持つことを特徴とするカメラ付き携帯情報端末。
【請求項９】
請求項５乃至８の何れかに記載のカメラ付き携帯情報端末において、前記カメラ付き携帯情報端末は、カメラ部が設けられた筐体と表示手段が設けられた筐体とから構成され、前記各筐体は回転可能な接続機構を形成するヒンジにて接続されて成ることを特徴とするカメラ付き携帯情報端末。
【請求項１０】
請求項９記載のカメラ付き携帯情報端末において、前記カメラ部が設けられた筐体は、前記ヒンジの回転軸を中心または該回転軸に直交する軸を中心に正逆方向自在に回動可能であることを特徴とするカメラ付き携帯情報端末。
【請求項１１】
請求項５乃至８の何れかに記載のカメラ付き携帯情報端末において、前記カメラ部を、各筐体を接続するヒンジに設けて成ることを特徴とするカメラ付き携帯情報端末。
【請求項１２】
請求項１１記載のカメラ付き携帯情報端末において、前記ヒンジに設けられたカメラ部は、前記ヒンジの回転軸を中心に正逆方向自在に回動可能であることを特徴とするカメラ付き携帯情報端末。
【発明の詳細な説明】
【０００１】
【発明の属する技術分野】
本発明は、カメラ付き携帯情報端末に関する。
【０００２】
【従来の技術】
従来のカメラ部を有するカメラ付き携帯情報端末において、撮影形態を切換える方法として以下の項目を挙げることができる。
【０００３】
１）撮影する映像を本体画像表示部に表示して、視認しながら自己撮影、対面撮影を行う場合、画像表示部に対してカメラ部のレンズが単独で回転動作することによって撮影形態を切換える構成。
【０００４】
２）本体画像表示部の背面側にカメラ部のレンズを設置し、そのレンズ周辺に鏡を配置することで自己撮影時には鏡に映しながら撮影を行い、対面撮影時には前記本体画像表示部を視認しながら撮影を行う構成。
【０００５】
３）撮影時や通話時で使用する音響用マイク部の設置場所として、カメラ部のレンズ周辺の位置と本体との両方に設置するか、又は前記位置のどちらか一箇所の設置で自己撮影、対面撮影、通話の際の音響入力を行う構成。
【０００６】
更に、ＣＣＤなどの撮像素子により被写体を撮影できる電子スチルカメラやビデオカメラといった撮像装置がある。このような撮像装置を用いた一例として、カメラ機能を持った携帯電話が挙げられる。携帯電話にカメラ機能が付くことにより、撮影した画像を送る通信手段として携帯電話を利用できるので、特別な通信手段を有する装置を使うことなく、また常に携帯するものであるので、気軽に撮影し、第三者に撮影した画像を容易に送ることができる。
【０００７】
カメラ部の配設する位置は通常、表示手段となるモニタ部で被写体を確認するため、モニタ部の裏側に設けることが多い。また、常にモニタ部で被写体を確認しながら撮影できるように、特開２０００−２７００６９公報に開示されるような二軸ヒンジ機構の利用及びカメラ部自体を回転させることによって自分自身の撮影や相手などの撮影を両方とも可能にしているものがある。
【０００８】
【発明が解決しようとする課題】
しかしながら、上述の従来例では以下のような欠点があった。
【０００９】
即ち、従来例（１）では、常に本体画像表示部で撮影画像を見て撮影をする為、使用目的により自己撮影方向又は対面撮影方向にレンズを向ける必要があり、その為カメラ部を本体画像表示部に対して回転動作させる専用の機構を設けることとなり、コストが高く、スペースが必要になる。
【００１０】
従来例（２）では、対面方向の撮影時では前記レンズから入力した画像を本体画像表示部で撮影者が確認することが出来、その表示した画像を記録することになるが、自己撮影時ではレンズ周辺に設置した前記鏡によっておおよその画角範囲内に自分を入れることが出来るが、入力した画像を撮影者が見て確認していない為、自分のイメージした画角や露出状態、ピントずれなどを合わせる事は困難であり満足のいく撮影が出来なかった。
【００１１】
従来例（３）では、マイク部がカメラ部のレンズ周辺と本体との両方にある為、コストが高く、スペースが必要となり、又、マイク部が前記位置のどちらか一ヶ所の設置では自己撮影、対面撮影、通話時の各使用形態によっては音響入力として適正位置ではない為、良質な音が取り難くなる。
【００１２】
また、更に、従来の携帯電話の場合においては、マイク部は通話用の１箇所にしかなく、カメラの向きとマイク部の向きが必ずしも連動していない。特開２０００−２７００６９公報の例でいうと、自分撮りの場合は良いが、表示部を見ながら相手を撮る際には、マイク部は撮影対象に向いていないため撮影者以外の音声が収録できないという事態が発生してしまう。そのため、特にビデオカメラのような録音も重視される撮像装置の用途に制限があった。更には被写体側と撮影者側の両方の音声を収録したい場合にも無理がある、等の問題があった。
【００１３】
本発明は、上述の事情に鑑みて成されたもので、▲１▼カメラ付き携帯情報端末の携帯性向上の為の折りたたみ開閉自在で回転可能な接続機構を利用することで、カメラ部に新たに専用の回転機構を設けず、自己撮影や対面撮影の場合であっても撮影時には常にカメラ部で捕らえた映像を撮影者が確認出来、使い易さと機構の簡略化を可能にした。
【００１４】
また、▲２▼２個若しくは複数個のマイク部を備え、被写体側と撮影者側の両方の音声を選択的に収録可能に配置し、かつカメラ部及びそれが付随する部位の位置／方向／回転等を検知することにより、適合するマイク部を自動的に選択、切換え可能なカメラ付き携帯情報端末を提供することを目的とする。
【００１５】
【課題を解決するための手段】
本発明は、下記構成を備えることにより上記課題を解決できるものである。
【００１６】
（１）撮影用のカメラ部を有し、回転可能な接続機構を形成するヒンジを介して折りたたみ開閉自在なカメラ付き携帯情報端末であって、操作釦側本体と画像表示装置ユニットから構成され、前記操作釦側本体に前記カメラ部を配し、前記画像表示装置ユニットの回転位置によって前記画像表示装置ユニットの表示画面を反転できる構成としたことを特徴とするカメラ付き携帯情報端末。
【００１７】
（２）前項（１）記載のカメラ付き携帯情報端末において、前記画像表示装置ユニットを収納位置に閉じた際に、前記操作釦側本体に配した撮影用の前記カメラ部のレンズを保護する構成としたことを特徴とするカメラ付き携帯情報端末。
【００１８】
（３）前項（１）記載のカメラ付き携帯情報端末において、前記操作釦側本体に集音手段としてのマイク部を配設したことを特徴とするカメラ付き携帯情報端末。
【００１９】
（４）前項（３）記載のカメラ付き携帯情報端末において、前記マイク部に音を伝える為の通過孔を撮影時の略被写体方向と通話時の略発声方向に向けて設けたことを特徴とするカメラ付き携帯情報端末。
【００２０】
（５）音声を取り込む複数の集音手段としてのマイク部、被写体を撮影するための撮像手段としてのカメラ部、外部と通信可能とするための通信手段、画像やその他の情報を表示するための表示手段を備えたカメラ付き携帯情報端末であって、前記カメラ部の撮影向きの状態により、適合するマイク部への切換え操作を行うことを特徴とするカメラ付き携帯情報端末。
【００２１】
（６）前項（５）記載のカメラ付き携帯情報端末において、前記複数のマイク部のうち、一方のマイク部と他方のマイク部は、集音方向が互いに異なるように配設されて成ることを特徴とするカメラ付き携帯情報端末。
【００２２】
（７）前項（５）または（６）記載のカメラ付き携帯情報端末において、前記カメラ部の撮影向きの状態は、カメラ部またはカメラ部が設けられた筐体の回転を検出することで決定することを特徴とするカメラ付き携帯情報端末。
【００２３】
（８）前項（５）乃至（７）の何れかに記載のカメラ付き携帯情報端末において、撮影時、前記カメラ部は自分撮りの状態と相手撮りの状態を含む少なくとも２つの状態を持つことを特徴とするカメラ付き携帯情報端末。
【００２４】
（９）前項（５）乃至（８）の何れかに記載の前記カメラ付き携帯情報端末は、カメラ部が設けられた筐体と表示手段が設けられた筐体とから構成され、前記各筐体は回転可能な接続機構を形成するヒンジにて接続されて成ることを特徴とするカメラ付き携帯情報端末。
【００２５】
（１０）前項（９）記載のカメラ付き携帯情報端末において、前記カメラ部が設けられた筐体は、前記ヒンジの回転軸を中心または該回転軸に直交する軸を中心に正逆方向自在に回動可能であることを特徴とするカメラ付き携帯情報端末。
【００２６】
（１１）前項（５）乃至（８）の何れかに記載のカメラ付き携帯情報端末において、前記カメラ部を、各筐体を接続するヒンジに設けて成ることを特徴とするカメラ付き携帯情報端末。
【００２７】
（１２）前項（１１）記載のカメラ付き携帯情報端末において、前記ヒンジに設けられたカメラ部は、前記ヒンジの回転軸を中心に正逆方向自在に回動可能であることを特徴とするカメラ付き携帯情報端末。
【００２８】
即ち、本発明では端末の携帯性向上の為に行われている操作釦側本体と画像表示装置ユニットでの折りたたむ動作時の回転可能な接続機構（ヒンジ）を利用することで新たに回転機構を設けず、又自己撮影時や対面撮影時であっても記録したい画像を撮影者画像表示装置の表示部で確認をしながら映す事が出来る様になった。又、本発明の構成でマイク部位置を操作釦側本体に設置することで一つのマイクエレメントであっても各使用形態で良質な音響を入力することが出来る。
【００２９】
【発明の実施の形態】
以下に本発明に係るカメラ付き携帯情報端末の実施の形態について説明する。
【００３０】
（実施例１）
図１は、実施例１におけるカメラ付き携帯情報端末の使用形態を示す斜視図である。即ち、操作釦側本体にマイク部とカメラ部を、画像表示装置ユニットにスピーカーを配設した例である。
【００３１】
図１において、Ａは表示部収納状態、Ｂは自己撮影状態、Ｃは対面撮影状態であり、Ａ−１、Ｂ−１、Ｃ−１に示す斜視方向から９０°回転させた斜視図が、夫々の状態に対応するＡ−２、Ｂ−２、Ｃ−２である。
【００３２】
１０１ａは収納状態での画像表示装置ユニット、１０２は操作釦側本体、１０３は撮像用のレンズ、１０４はマイク部である。
【００３３】
１０１ｂは自己撮影状態での画像表示装置ユニットで、レンズ１０３が１０７ａの方向の撮影者を捕らえてその映像を画像表示部１０５ａで表示して１０７ｂ方向の撮影者に映像を伝える。
【００３４】
マイク部１０４は、レンズ１０３が捕らえる撮影方向である１０７ａ方向の音を収録する為に１０７ａ方向に対して音響用通過孔を設け内部マイクエレメントに音が入り易くする。又、音響用通過孔を前記１０７ａ方向の位置から操作釦面側に設ける事で通話時の発声（口：くち）方向からの音をこの通過孔によって内部マイクエレメントに音を入り易くすることが出来る。したがって本発明は操作釦側本体に撮像用のカメラ部を設置する為、撮影方向の音響を取り入れるためのマイク部も必ず操作釦側本体にある構成としたものである。
【００３５】
自己撮影状態での画像表示装置ユニット１０１ｂに設置されているスピーカー１０６は画像表示部１０５ａと同一方向の面にあり、この画像表示部１０５ａを見ているものに音響を伝えるために同一方向の面に配置してある。
【００３６】
対面撮影状態での画像表示装置ユニット１０１ｃで、レンズ１０３が１０８ａ方向の撮影者以外の撮影対象物等を捕らえてその映像を画像表示１０５ｂで表示して１０８ｂ方向の撮影者に映像情報を伝える。その際、画像表示部１０５ａで表示していた画像は画像表示部１０５ｂの位置では撮影者から見て逆さ及び左右逆転になる為、１０１ａ、１０１ｂ、１０１ｃ等の各位置を検知して表示状態を切換え、画像表示部１０５ｂでは画像表示部１０５ａの画像情報を上下左右反転させ表示させる。
【００３７】
図２は、実施例１における各使用状態での位置検出方式の解説図であり、Ｄは収納状態、Ｅは自己撮影状態、Ｆは対面撮影状態であり、Ｄ−１、Ｅ−１、Ｆ−１は各使用状態での斜視図、Ｄ−２、Ｅ−２、Ｆ−２はａ−ａ矢視で示す夫々の状態における詳細拡大断面図である。
【００３８】
図２において、１１０ａは表示部収納状態での画像表示装置ユニットであり、１１１は操作釦側の本体、１１２ａは収納状態での検出端子位置、１１３はＦＰＣ（フレキシブル、プリント、サーキットボード）で本発明ではＦＰＣを使用しているが、１１４，１１５，１１６の様なパターンが形成出来るものであれば自由に選ぶことが出来る。１１４は自己撮影状態を検出する為のパターン、１１５は各検出時の導通用パターン、１１６は対面撮影状態を検出する為のパターンである。Ｄは収納状態である為、検出端子１１２ａは１１４，１１５，１１６の各パターンに接触していない。その為撮影、表示は行わないことになり、よって撮像用のカメラ部、画像表示部は停止している。
【００３９】
１１０ｂは、自己撮影状態での画像表示装置ユニット、１１２ｂは自己撮影状態での検出端子位置である。Ｅは自己撮影状態である為、検出端子１１２ｂは１１４，１１５，のパターンと接触状態となり、その結果、導通状態となり１１４のパターンは自己撮影状態を検出するパターンである為、そのモードでの画像表示を行う。
【００４０】
１１０ｃは対面撮影状態での画像表示装置ユニット、１１２ｃは対面撮影状態での検出端子位置である。Ｆは対面撮影状態である為、検出端子１１２ｃは１１５，１１６，のパターンと接触状態となり、その結果、導通状態となり１１６のパターンは対面撮影状態を検出するパターンである為、そのモードでの画像表示を行う。この場合はＥ位置での画像をＦの位置で表示すると逆さ及び左右逆転となる為、画像を上下１８０°回転と左右反転させて表示を行う。
【００４１】
（実施例２）
図３は、実施例２におけるカメラ付き携帯情報端末の使用状態を示す斜視図である。即ち、ヒンジにマイク部を配設した例であり、Ｇは収納状態、Ｈは対面撮影状態、Ｉは自己撮影状態で、Ｇ−１、Ｈ−１、Ｉ−１に示す斜視方向から９０°回転させた斜視図が夫々の状態に対応するＧ−２、Ｈ−２、Ｉ−２である。
【００４２】
図３において、１２１ａは表示部収納状態での画像表示装置ユニット、１２２は操作釦側本体、１２３は撮像レンズ、１２４はマイク部である。
【００４３】
１２１ｂは対面撮影状態での画像表示装置ユニットであり、撮像レンズ１２３が１２７ａの方向である撮影者以外の撮影対象物等を捕らえてその映像を画像表示部１２５ａで表示して１２７ｂ方向の撮影者に映像を伝える。
【００４４】
マイク部１２４は、撮像レンズ１２３が捕らえる撮影方向である１２７ａ方向の音を収録する為に、又は通話時で発声（口：くち）方向である１２７ｂ方向の音を収録する為に１２７ａ，１２７ｂ方向に対して音響用通過孔を設け内部マイクエレメントに音が入り易くする。したがって本発明は請求項１に対応する実施例１と同様に操作釦側本体に撮像用のカメラ部を設置する為、撮影方向の音響を取り入れるためのマイク部も必ず操作釦側本体に設けてある。
【００４５】
画像表示装置ユニット１２１ｂに設置されているスピーカー１２６は１２５ａの表示部１２５ａと同一方向の面にあり表示１２５ａを見ているものに音響を伝えるために同一方向の面に配置をしてある。
【００４６】
１２１ｃは自己撮影状態での画像表示装置ユニットであり、撮像レンズ１２３が１２８ａ方向の撮影者を捕らえてその映像を画像表示部１２５ｂで表示して１２８ｂ方向の撮影者に映像情報を伝える。その際、画像表示部１２５ａで表示していた画像は画像表示部１２５ｂの位置では撮影者から見て逆さ及び左右逆転になる為、１２１ａ、１２１ｂ、１２１ｃ等の各位置を検知して表示状態を切換え、画像表示部１２５ｂでは画像表示部１２５ａの画像情報を上下左右反転させ表示させる。
【００４７】
（実施例３）
図４は、実施例３におけるカメラ付き携帯情報端末の使用状態を示す斜視図である。即ち、撮像レンズ用の保護カバーを取り付けた例であり、Ｊは表示部収納状態、Ｋは使用状態（自己撮影）である。
【００４８】
図４において、１３１ａは収納状態での画像表示装置ユニット、１３２は操作釦側本体、１３３は画像表示装置ユニット１３１ａの筐体部分を延長して撮像レンズ１３４を保護する為の保護カバー部である。実施例１における構成の場合、レンズ保護を目的としたカバーを設ける際は、本実施例の様に１３１の画像表示装置ユニットの筐体を利用し、収納時に撮像レンズ１３４を覆うことで携帯時での撮像レンズ１３４への傷、汚れを防止することが出来る。
【００４９】
（実施例４）
図５は、実施例４におけるカメラ付き携帯情報端末の使用状態を示す斜視図及びカメラ部周辺の透視図である。即ち、撮像レンズ用の保護カバーを取り付けた他の実施例であり、Ｌは表示部収納状態、Ｍは使用状態（対面撮影）である。
【００５０】
図５において、１４１ａは、収納状態での画像表示装置ユニット、１４２は操作釦側本体、１４３ａは撮像レンズ１４４を保護する為の保護カバー部である。収納状態ではこの様に撮像レンズ１４４の前を覆う保護カバー部１４３ａが配置される。
【００５１】
１４１ｂは、使用状態（この図では対面撮影状態）での画像表示装置ユニット、１４３ｂは撮像レンズ１４４を保護していた保護カバー１４３ａが移動した状態を示す図である。
【００５２】
前述の実施例における構成の場合、レンズ保護を目的としたカバーを設ける際は、本実施例の様に画像表示装置ユニット１４１が回転動作することで機構部を介し撮像レンズを覆っている保護カバーを移動させ、携帯時では移動した保護カバーが収納位置に戻り撮像レンズへの傷、汚れを防止することが出来る。
【００５３】
図６は、図５で解説した実施例４におけるカメラ部周辺の構成部品を示す斜視図である。
【００５４】
図６において、１５１は、撮像レンズを保護するカバー部材、１５２は撮像レンズユニット、１５３は撮像レンズユニット１５２に取り付けてある撮像素子、１５４は撮像素子１５３の信号を本体と通信する為の結線部材、１５５は音響入力用マイク部、１５６は歯車１５９の回転移動とその動作をカバー部材１５１に伝達するレバー部材、１５７はレバー部材１５６を保持する為の反転用ばね、１５８は反転用ばね１５７及びレバー部材１５６を保持する為の押さえ部材、１６０は画像表示装置ユニットの動作をカバー開閉機構に伝える為の伝達軸、１６１は伝達軸１６０に取り付き画像表示装置ユニットの位置検出を行う検出端子、１６２は検出端子１６１と電気的接触を行い本体にその位置検出信号を送る為の結線部材である。
【００５５】
図７は、図５で解説した実施例４におけるカメラ部周辺の構成図及び保護カバーの動作状況を示す説明図（その１）であり、Ｎはレンズカバー面から垂直方向に眺めた透視図、ＯはＮの斜視図である。但し解説の都合により図６で表示した押さえ部材１５８、位置検出用結線部材１６２は省略する。
【００５６】
図７において、１７１は撮像レンズ１５２の外観側レンズ、１７２はカバー部材１５１ａに一体化された軸部、１７３はレバー部材１５６ａを収納方向に荷重を加える反転ばね１５７ａの回転支点、１７４はレバー部材１５６ａと一体化した反転ばね１５７ａの荷重を支える軸であり、収納時状態では矢印１７５方向に荷重が掛かっている。１７６はレバー部材１５６ａの回転支点、１７７は歯車１５９ａの回転支点、１７８は歯車１５９ａに一体化された収納状態での軸位置である。
【００５７】
図８は、図５で解説した実施例４におけるカメラ部周辺の構成図及び保護カバーの動作状況を示す説明図（その２）であり、Ｐはレンズカバー面から垂直方向に眺めた透視図、ＱはＰの斜視図である。但し解説の都合により図６で表示した押さえ部材１５８、位置検出用結線部材１６２は省略する。
【００５８】
図８において、画像表示装置ユニットに連動して回転動作する伝達軸１６０が回転駆動することで歯車１５９ｂが回転矢印１８０の方向に回転動作を行い、その結果、歯車１５９ｂと一体の軸１７８も回転移動を行う。するとレバー部材１５６ｂは軸１７８に掛っている為回転支点１７６を中心に回転移動を行う。その際、反転ばね１５７ｂは回転支点１７３を中心にしてレバー部材１５６ｂに一体化されているばね掛け軸１７４によって回転移動を行い反転ばね１５７ｂは矢印１７９方向に荷重が掛けられ、この位置で保持される。そしてカバー部材１５１ｂは、このカバー部材１５１ｂに一体化された軸部１７２がレバー部材１５６ｂに掛っているため移動を行い、その結果、カバー部材１５１ｂは撮像レンズ１７１の外観側レンズエリアから外れた位置まで移動することが出来、撮影可能となる。さらに画像表示装置ユニットが撮像レンズ１７１と同一面になる自己撮影状態では歯車１５９ｂが回転矢印１８０の方向に回転を行うが、軸１７８がレバー部材１５６ｂから離れる為、撮像レンズ１７１のカバー部材１５１ｂは移動せずに、この位置を保持している。又、回転位置を検出する為の構造は、図２で示した検出パターンの読み取りを変えるだけで同じ構造で行うことが出来る。
【００５９】
（実施例５）
以下図面を参照して実施例５について説明する。
【００６０】
図９は、実施例５におけるカメラ付き携帯情報端末の例としての２軸ヒンジ機構をもったカメラ付き携帯電話を開いた状態の斜視図である。
【００６１】
図９において２０１は携帯電話本体であり、筐体２０１ａと筐体２０１ｂとが二軸ヒンジ機構により結合されているものである。
【００６２】
２０２はマイク部１、２０３はスピーカーであり、通常の電話をする場合はこの筐体２０１ａのマイク部２で音声を取り込み、筐体２０１ｂにあるスピーカー２０３により相手の音声を聞き取るための、それぞれ送話口及び受話口となる。２０４は画像やその情報を表示するためのモニタ部、２０５は後述するもう一方のマイク部、２０６は筐体２０１ａと筐体２０１ｂとを接続する二軸ヒンジ、２０７は被写体を撮影するためのカメラ部であり、このカメラ部２０７を通して撮影される像は不図示の撮像素子や信号処理などを経て画像信号として出力される。
【００６３】
モニタ部２０４を見ない電話通話時は、マイク部２０２しか必要ないので、もう一方のマイク部２０５は余計な音声が入らないようＯＦＦにしておく。またこの場合、カメラ部２０７もモニタ部２０４も必要ないので省電力上ＯＦＦにしておくことが望ましい。
【００６４】
撮影者本人を撮影する場合や、例えばテレビ電話のような場合においては、モニタ部２０４を見ながら撮影者に向いているカメラ部２０７によって像を撮る。特にテレビ電話として使う場合は、筐体２０１ａに設けられたマイク部２０２に話かけることにより音声を取り込むことができる。単に撮影するだけなら、マイク部２０２はＯＦＦにしておいても良い。その際、もう一方のマイク部２０５は余計な音声が入らないようにＯＦＦにしておく。
【００６５】
図１０は、図９で示したカメラ付き携帯電話のカメラ部が設けられた部位が１８０°回転した状態の斜視図である。
【００６６】
図１０において、自分以外の対象物を撮影する場合は、図９の状態から筐体２０１ａをＹ軸回りに１８０°回転させて筐体２０１ａに設けられているカメラ部２０７を対象物側に向けて、筐体２０１ｂにあるモニタ部２０４を確認しながら撮る。また、対象物側の音声を取り込みつつ、撮影者の音声も取り込みたい場合は、筐体２０１ａのマイク部２０２と反対側に設けられたもう一方のマイク部２０５を利用するモードを作動させることで、実現することができる。
【００６７】
マイク部２０２と、もう一方のマイク部２０５のどれを使用するかは、取り込む音声によって使い分け、「撮影者の音声のみ」でマイク部２０５、「対象物側の音声のみ」でマイク部２０２、「両方の音声」ではマイク部２０２、２０５の両方を使用するといった３パターンが選択できるようにしておく。
【００６８】
選択は、モニタ部２０４に呼び出したメニュー上で選択しても良いし、専用ボタンなどを設けても良い。
【００６９】
筐体２０１ａを１８０°回転させた場合、図示しない回転検知部を二軸ヒンジ２０６に設けておき、ある所定の角度を回転されたら自動的に自分のみを撮るモードから相手を撮るモードに切り替り、それに伴って「撮影者の音声のみ」でマイク部２０５、「対象物側の音声のみ」でマイク部２０２、「両方の音声」ではマイク部２０２、２０５の両方といった３パターンの内、予め選択しておいた１つを自動的に選択できるようにしておくと使い易い。
【００７０】
尚、２０８はキー入力部である。
【００７１】
（実施例６）
以下、実施例６について説明する。
【００７２】
図１１は、実施例６におけるヒンジにカメラ部を設けたカメラ付き携帯電話の例であり、携帯電話を開いた状態を示す斜視図である。
【００７３】
図１１において、２０９は携帯電話本体であり、筐体２０９ａと筐体２０９ｂがヒンジ２１４により結合されているものである。
【００７４】
２１０はマイク部、２１１はスピーカーであり、通常の電話をする場合はこの筐体２０９ａのマイク部２１０で音声を取り込み、筐体２０９ｂにあるスピーカー２１１により相手の音声を聞き取るための、それぞれ送話口及び受話口となる。２１２は画像やその他の情報を表示するためのモニタ部、２１３は後述するもう一方のマイク部、２１４は筐体２０９ａと筐体２０９ｂとを接続する一軸ヒンジ、２１５は被写体を撮影するためのカメラ部であり、カメラ部２１５を通して撮影される像は不図示の撮像素子や信号処理などを経て画像信号として出力される。
【００７５】
モニタ部２１２を見ない電話通話時は、マイク部２１０しか必要ないので、もう一方のマイク部２１３は余計な音声が入らないようＯＦＦにしておく。また、この場合、カメラ部２１５もモニタ部２１２も必要ないので省電力上ＯＦＦにしておくことが望ましい。
【００７６】
撮影者本人を撮影する場合や、例えばテレビ電話のような場合においては、ヒンジ２１４に独立し、ヒンジ２１４の軸を中心にして回転するように設けられたカメラ部２１５を、撮影者を撮るように回し、モニタ部２１２を見ながら撮影者に向いているカメラ２１５によって像を撮る。特にテレビ電話として使う場合は、筐体２０９ａに設けられたマイク部２１０に話かけることにより音声を取り込むことができる。単に撮影する場合だけならマイク部２１１はＯＦＦにしておいても良い。その際、もう一方のマイク部２１３は余計な音が入らないようにＯＦＦにしておく。
【００７７】
図１２は、実施例６におけるヒンジにカメラ部を設けたカメラ付き携帯電話の例であり、カメラ部をヒンジ軸中心に１８０°回転させた状態の斜視図である。
【００７８】
図１２において、自分以外の対象物を撮影する場合は、ヒンジ２１４に設けられたカメラ部２１５をヒンジ２１４の回転軸周りに回転させて被写体側に向けて、筐体２０９ｂにあるモニタ部２１２を確認しながら撮る。この時、カメラ部２１５の回転を、図示しない回転検出部で検知して、筐体２０９ｂに設けられたマイク部２１１と反対側にあるマイク部２１３が被写体側の音声を撮るモードで作動する。また、対象物側の音声を取り込みつつ、撮影者の音声も取り込みたい場合は、筐体２０９ａのマイク部２１０も同時に使用するモードを作動させることで実現することができる。マイク部２１０ともう一方のマイク部２１３のどれを使用するかは、取り込む音声によって、「撮影者の音声のみ」ではマイク部２１０、「対象物の音声のみ」ではマイク部２１３、「両方の音声」ではマイク部２１０、２１３の両方といった３パターンが選択できるようにしておく。選択はモニタ部２１２に呼び出したメニュー上で選択してもよいし、専用ボタンなどを設けておいても良い。
【００７９】
カメラ部２１５が、ある所定の角度に達したら自動的に自分のみを撮るモードから相手を撮るモードに切り替り、それに伴って「撮影者の音声のみ」ではマイク部２１０、「対象物の音声のみ」でマイク部２１３、「両方の音声」ではマイク部２１０、２１３の両方といった３パターンの内、予め選択しておいた１つを自動的に選択できるようにしておくと使い易い。
【００８０】
次に、本発明に係るカメラ付き携帯情報端末の例としてのカメラ付き携帯電話機の制御系について説明する。
【００８１】
図１３は、本実施形態のカメラ付き携帯情報端末の例としてのカメラ付き携帯電話機における制御系の構成を示すブロック図である。
【００８２】
図１３において、２０２、２０３、２０４、２０５、２０７は、それぞれマイク部、スピーカー、モニタ部、マイク部（他方）、カメラ部である。
【００８３】
２２０はアンテナ、２２１は無線通信回路部、２１８は携帯電話機の全制御を司る主制御部、２１９は画像データや音声データ等を書き換え可能に格納する半導体メモリよりなるメモリ部（ここでは例えば、ＲＡＭやフラッシュメモリ）、２２２は音声処理部、２２３は画像処理部、２２４は前記モニタ部２０４用の表示処理・制御部、２０８はキー入力部である。
【００８４】
図１３に示す構成において、通常の携帯電話若しくはテレビ電話として使用している時には、アンテナ２２０で受信した信号は、無線通信回路部２２１の受信部で適宜に復調等の処理を施された後、音声データは音声処理部２２に送られ、画像データは画像処理部２２３に送られる。すなわち、通常の携帯電話として使用しているときには、音声データのみが音声処理部２２２に送られ、テレビ電話として使用している時には、音声データが音声処理部２２２に送られると共に、画像データが画像処理部２２３に送られる。また、画像データ及び／又は音声データは、主制御部２１８からの指示により、必要に応じてメモリ部２１９に出力され記憶される。
【００８５】
音声処理部２２２に送られた音声データは、音声処理部２２２で音声信号として処理され、スピーカー２０３に出力される。画像処理部２２３に送られた画像データは、画像処理部２２３において適宜の処理（例えば伸張処理等）を施された後、表示処理・制御部２２４に送られて、表示用の画像信号に変換されると共に、主制御部２１８からの指示により、必要に応じて適宜の画像信号や文字信号を付加して、モニタ部２０４に出力され、受信画像として表示される。
【００８６】
マイク部２０２及びマイク部２０５から入力された音声信号は、音声入力制御部２２５で適宜な制御の下、音声処理部２２２に送られて適宜の処理を受けて音声データとされ、通常の携帯電話もしくはテレビ電話として使用している時には、無線通信回路部２２１に送られて、無線通信回路部２２１の送信部で適宜に変調等の処理を施されて後、アンテナ２２０から送信される。また図９から図１０の様に、カメラ部２０７が設けられている筐体２０１ａが１８０°回転した場合、回転検知部２１７が図示しない検知装置を用いて検知し、その情報が主制御部２１８に送られ、音声入力制御部２２５によりマイク部２０２とマイク部２０５の制御（排他または同時使用）を行う。
【００８７】
ビデオカメラ等のカメラ部２０７で撮像した画像データは画像処理部２２３に送られ、テレビ電話として使用している時には、例えば圧縮処理等の適宜の処理を施された後、無線通信回路部２２１に送られて、無線通信回路部２２１の送信部で適宜に変調等の作業を施された後、アンテナ２２０から送信される。また、例えばビデオカメラ付レコーダとして使用しており、かつ録画が指示されている時には、画像処理部２２３からの画像データはメモリ部２１９に送出されて、記録される。更にまた、ビデオカメラ付レコーダとして使用し撮影している時には、画像処理部２２３から圧縮処理を施す前の画像データが、表示処理・制御部２２４に送られて、ここで適宜の処理を施された後、モニタ部２０４に出力され、撮影画像として表示される（この時、モニタ部２０４は電子ビューファインダとして機能していることになる）。
【００８８】
またメモリ部２１９に格納された画像データ等のデータファイルを送信する時には、メモリ部２１９から読み出されたデータが、図示せぬ適宜の信号処理手段によって送信用データに変換された後、無線通信回路部２２１に送られて、アンテナ２２０から送信される。このとき、送信している画像データファイルは、表示処理・制御部２２４を介してモニタ部２０４においても、表示される。相手側からのデータファイルを受信するときには、アンテナ２２０で受信した信号は、無線通信回路部２２１を経て、図示せぬ適宜の信号処理手段によって記憶用データ信号に変換された後、メモリ部２１９に記憶される。このとき、受信した画像データファイルは、必要に応じて、画像処理部２２３、表示処理・制御部２２４を介して、モニタ部２０４においても表示可能とされる。
【００８９】
なお、本実施形態では、無線で送受信する画像データは、所定秒時間隔の静止画データを想定しているが、動画データとすることも可能であることは無論である。
【００９０】
メモリ部２１９に記憶された画像／音声データを再生する時には、メモリ部２１９から読み出された音声データは音声処理部２２３に送られ、スピーカー２０３に音声信号として出力され、また、メモリ部２１９から読み出された画像データは画像処理部２２３に送られ、画像処理部２２３、表示処理・制御部２２４を介して、モニタ部２０４で表示される。
【００９１】
なお、メモリ部２１９から読み出された画像／音声データ以外のデータは、表示処理・制御部２２４に送られて、適宜に表示用データとして生成処理され、必要に応じ枠表示等を付加して、例えば文字や数字などとして表示される。
【００９２】
以上、本発明に係るカメラ付き携帯情報端末の構成を要約すると、▲１▼操作釦側本体とを接続する回転可能な接続機構（ヒンジ）の回転動作時に操作釦側本体に配設したカメラ部またはヒンジに設けたカメラ部で画像表示装置ユニットの回転位置によって、対面撮影、自己撮影、及び通常通話の切換えが出来、▲２▼画像表示装置ユニットを収納状態に閉じた際に、カメラ部のレンズを保護するためのカバーが同時に機能するようになり、▲３▼画像表示装置ユニットの回転位置を検知することで、各モード毎の画像及びシステム等の切換え行い、▲４▼複数のマイク部を備えることでカメラ部の向きに関係なく相手被写体側と撮影者側の両方の音声を選択的に取り込むことが出来る構成となっている。
【００９３】
【発明の効果】
以上説明したように本発明によれば、カメラ付き携帯情報端末において携帯性向上の為に行われている折りたたみ動作時の回転機構を利用することで、操作釦側本体と画像表示装置ユニットとが回転動作によって、通常通話の切換えが出来、自己撮影や対面撮影であっても撮影時には常にカメラ部で捕らえた映像を撮影者が確認出来、カメラ部に新たに専用の回転機構を設けることなく、使いやすさと機構の簡略化を可能にした。
【００９４】
また、複数のマイク部を備えることによりカメラ部の向きに関係なく相手被写体側と撮影者側の両方の音声を選択的に取り込むことができるようになる、等の効果を呈する。
【図面の簡単な説明】
【図１】実施例１におけるカメラ付き携帯情報端末の使用形態を示す斜視図（操作釦側本体にマイク部とカメラ部を、画像表示装置ユニットにスピーカーを配設した例）
【図２】実施例１における各使用状態での位置検出方式の解説図（Ｄは収納状態、Ｅは自己撮影状態、Ｆは対面撮影状態）
【図３】実施例２におけるカメラ付き携帯情報端末の使用状態を示す斜視図（ヒンジにマイク部を配設した例であり、Ｇは収納状態、Ｈは対面撮影状態、Ｉは自己撮影状態）
【図４】実施例３におけるカメラ付き携帯情報端末の使用状態を示す斜視図（撮像レンズ用の保護カバーを取り付けた例であり、Ｊは表示部収納状態、Ｋは使用状態（自己撮影））
【図５】実施例４におけるカメラ付き携帯情報端末の使用状態を示す斜視図及びカメラ部周辺の透視図（撮像レンズ用の保護カバーを取り付けた他の実施例であり、Ｌは表示部収納状態、Ｍは使用状態（対面撮影））
【図６】図５で解説した実施例４におけるカメラ部周辺の構成部品を示す斜視図
【図７】図５で解説した実施例４におけるカメラ部周辺の構成図及び保護カバーの動作状況を示す説明図（その１）
【図８】図５で解説した実施例４におけるカメラ部周辺の構成図及び保護カバーの動作状況を示す説明図（その２）
【図９】実施例５におけるカメラ付き携帯情報端末の例としての二軸ヒンジ機構をもったカメラ付き携帯電話を開いた状態の斜視図
【図１０】図９で示したカメラ付き携帯電話のカメラ部が設けられた部位が１８０°回転した状態の斜視図
【図１１】実施例６におけるヒンジにカメラ部を設けたカメラ付き携帯電話の例であり、携帯電話を開いた状態を示す斜視図
【図１２】実施例６におけるヒンジにカメラ部を設けたカメラ付き携帯電話の例であり、カメラ部をヒンジ軸中心に１８０°回転させた状態の斜視図
【図１３】本実施形態のカメラ付き携帯情報端末の例としてのカメラ付き携帯電話機における制御系の構成を示すブロック図
【符号の説明】
１０２　操作釦側本体
１０３　レンズ
１０４　マイク部
１０５ａ、１０５ｂ　画像表示部
１０６　スピーカー
２０１，２０９　カメラ付き携帯電話機
２０１ａ，２０１ｂ，２０９ａ，２０９ｂ　筐体
２０２　マイク１
２０３　スピーカー
２０４　モニタ部
２０５　マイク２
２０６　二軸ヒンジ
２０７，２１５　カメラ部
２０８　キー入力部
２１５　カメラ部
２１４　一軸ヒンジ
２１７　回転検知部
２１８　主制御部
２１９　メモリ部
２２０　アンテナ
２２１　無線通信回路部
２２２　音声処理部
２２３　画像処理部
２２４　表示処理・制御部
２２５　音声入力制御部
【図１】
2004040382.tif 000003
【図２】
2004040382.tif 000004
【図３】
2004040382.tif 000005
【図４】
2004040382.tif 000006
【図５】
2004040382.tif 000007
【図６】
2004040382.tif 000008
【図７】
2004040382.tif 000009
【図８】
2004040382.tif 000010
【図９】
2004040382.tif 000011
【図１０】
2004040382.tif 000012
【図１１】
2004040382.tif 000013
【図１２】
2004040382.tif 000014
【図１３】
2004040382.tif 000015